(57)【特許請求の範囲】
【請求項１】
機器本体の外観面に形成された開口部を開閉する方向にスライド移動可能に設けられた蓋部材と、
前記蓋部材が前記開口部を開く方向に移動した際に、前記開口部に露出し、カード状記録媒体を着脱可能に保持する複数のスロット部と、を備え、
前記蓋部材は、前記開口部を閉じた位置から前記外観面と平行に前記開口部を開く方向に移動する第１移動領域と、前記第１移動領域を移動した後、斜め下方に移動して前記外観面の裏面側に進入する第２移動領域と、前記第２移動領域を移動した後、前記第１移動領域と平行に前記開口部を開く方向に移動する第３移動領域と、を有し、
前記複数のスロット部は、前記蓋部材の開閉方向に互いに離間配置され、前記蓋部材を閉じる方向側に配置されるスロット部が前記蓋部材を開く方向側に配置されるスロット部より前記カード状記録媒体の着脱方向に高くなるように配置され、
前記蓋部材の裏面には、前記蓋部材を閉じた状態において、前記複数のスロット部にそれぞれ装着された前記カード状記録媒体に対向する位置で前記カード状記録媒体との間隔が略同一になるように、かつ前記蓋部材の開閉の際に、前記複数のスロット部にそれぞれ装着された前記カード状記録媒体に接触しない高さで突出する複数のリブが設けられることを特徴とする電子機器。
【請求項２】
前記機器本体に対して開閉可能に取り付けられ、閉じた際に、前記蓋部材が配置される前記機器本体の外観面が収納面とされる表示ユニットを備えることを特徴とする請求項１に記載の電子機器。
【発明の詳細な説明】
【技術分野】
【０００１】
本発明は、カード状記録媒体を着脱可能に保持するスロット部を備えるデジタルカメラ等の電子機器に関する。
【背景技術】
【０００２】
デジタルカメラ等の電子機器では、スロット部に装着されたメモリカード等の記録媒体に対してデータの読み出しや書き込み処理等が行われるが、記録媒体へのアクセス中に誤操作等でスロット部から記録媒体が抜かれると、記録媒体のデータ破損の可能性がある。
【０００３】
そこで、記録媒体へのアクセス中の誤操作防止や防塵、意匠性の観点から、スロット部を蓋部材で開閉可能に覆って保護することが多い。例えば、蓋部材を閉じた場合は、機器本体の外観面と蓋部材とがほぼ同一面をなし、蓋部材を開く際には、蓋部材を機器本体の内部にスライド移動（インナースライド）させる構造が知られている。
【０００４】
このような蓋部材は、閉じ状態で機器本体の外観面とほぼ同一面をなすことで、電子機器の意匠性を高めることができ、また、開く際には、機器本体の内部にスライド移動するため、電子機器の外観側に突出することがない。
【０００５】
また、互いに平行に配置された複数のスロット部の一方のスロット部を他方のスロット部に対して着脱方向にずらして配置し、ヒンジ軸を介して回動可能に支持された蓋部材により複数のスロット部を開閉可能に覆うようにした技術が提案されている（特許文献１）。この提案では、複数のスロット部を階段状に配置したので、一方のスロット部からカード状記録媒体を抜き取る際に、隣接する他方のスロット部のカード状記録媒体を誤って押し込み、イジェクトさせてしまうことを防止できるとしている。
【先行技術文献】
【特許文献】
【０００６】
【特許文献１】特開２００６−３１１６８号公報
【発明の概要】
【発明が解決しようとする課題】
【０００７】
しかし、上記特許文献１では、蓋部材を開いた状態では、機器本体の外観面から蓋部材が突出するため、意匠性の観点から好ましくない。また、例えば機器本体に対して表示ユニットを開閉可能に取り付け、表示ユニットを閉じた際に機器本体の外観面が表示ユニットの収納面とされる場合等、蓋部材が外観面から突出すると不都合が生じる電子機器には適用することができない。
【０００８】
更には、蓋部材の閉じ状態において、カード状記録媒体へのアクセス中に落下等による衝撃等でスロット部から記録媒体が飛び出してデータが破損する可能性もある。しかし、上記特許文献１では、蓋部材を閉じた状態でのカード状記録媒体のスロット部からの飛び出し防止構造に関しては開示されていない。
【０００９】
そこで、本発明は、スロット部を開閉可能に覆う蓋部材が開き状態で機器本体の外観面から突出することがなく、かつ蓋部材の閉じ状態で衝撃等によりスロット部からカード状記録媒体が飛び出すのを防止することができる仕組みを提供することを目的とする。
【課題を解決するための手段】
【００１０】
上記目的を達成するために、本発明の電子機器は、機器本体の外観面に形成された開口部を開閉する方向にスライド移動可能に設けられた蓋部材と、前記蓋部材が前記開口部を開く方向に移動した際に、前記開口部に露出し、カード状記録媒体を着脱可能に保持する複数のスロット部と、を備え、前記蓋部材は、前記開口部を閉じた位置から前記外観面と平行に前記開口部を開く方向に移動する第１移動領域と、前記第１移動領域を移動した後、斜め下方に移動して前記外観面の裏面側に進入する第２移動領域と、前記第２移動領域を移動した後、前記第１移動領域と平行に前記開口部を開く方向に移動する第３移動領域と、を有し、前記複数のスロット部は、前記蓋部材の開閉方向に互いに離間配置され、前記蓋部材を閉じる方向側に配置されるスロット部が前記蓋部材を開く方向側に配置されるスロット部より前記カード状記録媒体の着脱方向に高くなるように配置され、前記蓋部材の裏面には、前記蓋部材を閉じた状態において、前記複数のスロット部にそれぞれ装着された前記カード状記録媒体に対向する位置で前記カード状記録媒体との間隔が略同一になるように、かつ前記蓋部材の開閉の際に、前記複数のスロット部にそれぞれ装着された前記カード状記録媒体に接触しない高さで突出する複数のリブが設けられることを特徴とする。
【発明の効果】
【００１１】
本発明によれば、スロット部を開閉可能に覆う蓋部材が開き状態で機器本体の外観面から突出することがなく、かつ蓋部材の閉じ状態で衝撃等によりスロット部からカード状記録媒体が飛び出してデータが破損するのを防止することができる。
【図面の簡単な説明】
【００１２】
【図１】本発明の電子機器の実施形態の一例であるデジタルビデオカメラの斜視図である。
【図２】図１に示すデジタルビデオカメラの表示ユニットを開いた状態を示す斜視図である。
【図３】図１に示すデジタルビデオカメラの表示ユニットの収納面に配置された蓋部材を開いた状態を示す斜視図である。
【図４】図３の部分拡大平面図である。
【図５】蓋部材を裏面側から見た斜視図である。
【図６】蓋部材で収納面の開口部を閉じた状態での図４のＡ−Ａ線断面図である。
【図７】蓋部材で収納面の開口部を閉じた状態での図４のＢ−Ｂ線断面図である。
【図８】図７の状態から蓋部材が開く方向にｘ１領域分スライド移動した状態を示す断面図である。
【図９】図８の状態から蓋部材が斜め下方にｚ１領域分スライド移動して収納面の裏面側に進入した状態を示す断面図である。
【図１０】図９の状態から蓋部材が開く方向にｘ２領域分スライド移動した状態を示す断面図である。
【発明を実施するための形態】
【００１３】
以下、本発明の実施形態の一例を図面を参照して説明する。
【００１４】
図１は本発明の電子機器の実施形態の一例であるデジタルビデオカメラの斜視図、図２は図１に示すデジタルビデオカメラの表示ユニットを開いた状態を示す斜視図である。図３は図１に示すデジタルビデオカメラの表示ユニットの収納面に配置された蓋部材を開いた状態を示す斜視図、図４は図３の部分拡大平面図である。
【００１５】
図１〜図３に示すように、本実施形態のデジタルビデオカメラは、カメラ本体１の前端部にレンズ部１ａが設けられ、レンズ部１ａ側から見てカメラ本体１の右側の側面１０には、表示ユニット２がヒンジ３を介して開閉方向に回動可能に支持されている。
【００１６】
表示ユニット２は、閉じた状態でカメラ本体１の側面１０（以下、収納面１０という。）に収納される。収納面１０は、表示ユニット２が開いた状態でカメラ本体１の外観面となる。
【００１７】
収納面１０には、開口部１０ａが形成され、開口部１０ａは、レンズ部１ａの光軸と平行な方向にスライド移動可能に設けられた蓋部材１１により開閉される。ここで、カメラ本体１は、本発明の機器本体の一例に相当する。
【００１８】
蓋部材１１が開口部１０ａを開く方向にスライド移動すると、カメラ本体１の内部でホルダ１２に保持された複数（本実施形態では、２つ）のスロット部１３ａ，１３ｂが開口部１０ａに露出する（図３及び図４参照）。また、蓋部材１１が開口部１０ａを閉じる方向にスライド移動すると、蓋部材１１によりスロット部１３ａ，１３ｂが覆われる（図２参照）。
【００１９】
スロット部１３ａ，１３ｂは、長手方向をレンズ部１ａの光軸と直交するカメラ本体１の高さ方向に向けて、レンズ部１ａの光軸方向に互いに離間して平行に配置されている。スロット部１３ａ，１３ｂには、後述するカード状記録媒体１４ａ，１４ｂが着脱可能に保持される。
【００２０】
なお、スロット部１３ａ，１３ｂは、プッシュイン・プッシュイジェクト方式とされ、ユーザがカード状記録媒体１４ａ，１４ｂをスロット部１３ａ，１３ｂに押し込むことでカード状記録媒体１４ａ，１４ｂが装着されてロックされる。また、この状態でカード状記録媒体１４ａ，１４ｂの中央部を押し込むと、ロックが解除されてカード状記録媒体１４ａ，１４ｂがイジェクトされる。
【００２１】
ここで、蓋部材１１は、開口部１０ａを閉じた状態では、収納面１０とほぼ同一平面をなし、開口部１０ａを開いた状態では、収納面１０の裏面側へスライド移動して収納面１０から突出しないようになっている。
【００２２】
次に、図５及び図６を参照して、蓋部材１１のスライド動作について説明する。図５は、蓋部材１１を裏面側から見た斜視図である。
【００２３】
図５に示すように、蓋部材１１の幅方向両側には、摺動ボス１１ｃが突設されている。摺動ボス１１ｃは、蓋部材１１の幅方向の一方の側に１カ所、他方の側に２カ所、合計３カ所配置されている。
【００２４】
また、蓋部材１１の裏面の中央部には、蓋部材１１で収納面１０の開口部１０ａを閉じた状態において、スロット部１３ａ，１３ｂに装着されたカード状記録媒体１４ａ，１４ｂの飛び出しを防止するリブ１１ａ，１１ｂが突設されている。リブ１１ａ，１１ｂは、レンズ部１ａの光軸方向に互いに離間して配置されている。なお、リブ１１ａ，１１ｂの詳細については、後述する。
【００２５】
図６は、蓋部材１１で収納面１０の開口部１０ａを閉じた状態での図４のＡ−Ａ線断面図である。
【００２６】
図６に示すように、蓋部材１１の摺動ボス１１ｃは、収納面１０の裏面側に設けられた案内レール１０Ｌとホルダ１２の表面側に設けられた案内レール１２Ｌとの間に挿入され、それぞれのレール１０Ｌ，１２Ｌの形状に沿ってスライド移動する。
【００２７】
具体的には、摺動ボス１１ｃは、蓋部材１１が収納面１０の開口部１０ａを閉じた状態から図６のｘ１領域、ｚ１領域、ｘ２領域の順に開口部１０ａを開く方向にスライド移動する。
【００２８】
ｘ１領域は、蓋部材１１が収納面１０の開口部１０ａを閉じた状態からレンズ部１ａの光軸と平行に開口部１０ａを開く方向に移動する領域である。ｚ１領域は、蓋部材１１がｘ１領域を移動した後、斜め下方に移動して収納面１０の裏面側に進入する領域である。ｘ２領域は、蓋部材１１がｚ１領域を移動した後、収納面１０の裏面側でｘ１と平行に移動する領域である。
【００２９】
ここで、ｘ１領域は、本発明の第１移動領域の一例に相当し、ｚ１領域は、本発明の第２移動領域の一例に相当し、ｘ２領域は、本発明の第３移動領域の一例に相当する。
【００３０】
図３及び図４に示すように、収納面１０の開口部１０ａが開かれた状態では、ユーザは、スロット部１３ａ，１３ｂに対してカード状記録媒体１４ａ，１４ｂの着脱操作を行うことができる。
【００３１】
このとき、不図示の検知手段が蓋部材１１が開かれたことを検知し、カード状記録媒体１４ａ，１４ｂへの不図示の情報処理部からのアクセスを禁止する。従って、誤ってカード状記録媒体１４ａ，１４ｂが抜かれてもデータが破損するのを防止することができる。
【００３２】
また、本実施形態では、蓋部材１１が上述したｘ１領域にあるときに蓋部材１１の閉状態を検知し、カード状記録媒体１４ａ，１４ｂへの不図示の情報処理部からのアクセスを許可する。
【００３３】
ところで、収納面１０の開口部１０ａが蓋部材１１で閉じられた状態でも、カメラの落下等による衝撃等でスロット部１３ａ，１３ｂからカード状記録媒体１４ａ，１４ｂが飛び出し、データが破損してしまう可能性もある。
【００３４】
そこで、本実施形態では、上述したように、蓋部材１１の裏面に、スロット部１３ａ，１３ｂに装着されたカード状記録媒体１４ａ，１４ｂの飛び出しを防止するリブ１１ａ，１１ｂを設けている（図５参照）。
【００３５】
図７は、蓋部材１１で収納面１０の開口部１０ａを閉じた状態での図４のＢ−Ｂ線断面図である。
【００３６】
図７では、蓋部材１１の開閉方向に互いに離間配置されたスロット部１３ａ，１３ｂのうち、蓋部材１１を閉じる方向側のスロット部１３ａにカード状記録媒体１４ａが装着されている。また、蓋部材１１を開く方向側のスロット部１３ｂにカード状記録媒体１４ｂが装着されている。
【００３７】
図７から判るように、スロット部１３ａ及びスロット部１３ｂは、カード状記録媒体１４ａ，１４ｂの着脱方向に寸法Ｆだけスロット部１３ａが高くなるようにずれて配置されている。このため、スロット部１３ａ，１３ｂに装着されたカード状記録媒体１４ａ，１４ｂについても、同様に、寸法Ｆだけカード状記録媒体１４ａが高くなるようにずれて配置されている。
【００３８】
また、カード状記録媒体１４ａ，１４ｂのずれに合わせて、蓋部材１１のリブ１１ａ，１１ｂもそれぞれ突出長さを異ならせている。
【００３９】
すなわち、図７に示すように、リブ１１ａとリブ１１ａに対向するカード状記録媒体１４ａとの間隔と、リブ１１ｂとリブ１１ｂに対向するカード状記録媒体１４ｂとの間隔とが略同一の寸法Ｄになるようにしている。
【００４０】
このとき、リブ１１ａ，１１ｂの蓋部材１１の開閉方向の幅方向の領域Ｅがリブ１１ａ，１１ｂとカード状記録媒体１４ａ，１４ｂとのオーバラップ量となり、スロット部１３ａ，１３ｂからのカード状記録媒体１４ａ，１４ｂの飛び出しを防止する。
【００４１】
なお、寸法Ｄは、衝撃等でカード状記録媒体１４ａ，１４ｂが抜けてリブ１１ａ，１１ｂに当接したとしても、スロット部１３ａ，１３ｂ側の電気接点とカード状記録媒体１４ａ，１４ｂの電気接点との接触が確保される範囲に設定される。
【００４２】
図８は、図７の状態から蓋部材１１が開く方向にｘ１領域分スライド移動した状態を示す断面図である。
【００４３】
図７から図８の位置へ蓋部材１１が開く方向にｘ１領域分移動すると、蓋部材１１のリブ１１ａ，１１ｂは、カード状記録媒体１４ａ，１４ｂと対向しなくなってオーバラップしなくなる。従って、本実施形態では、蓋部材１１のｘ１領域でのスライド移動量は、寸法Ｅを超える量に設定される。
【００４４】
図９は、図８の状態から蓋部材１１が斜め下方にｚ１領域分スライド移動して収納面１０の裏面側に進入した状態を示す断面図である。
【００４５】
図８から図９の位置へ蓋部材１１が斜め下方にｚ１領域分移動する際、リブ１１ａ，１１ｂとカード状記録媒体１４ａ，１４ｂとのオーバラップがなくなっている為、リブ１１ａ，１１ｂがカード状記録媒体１４ａ，１４ｂに接触するのを防止できる。
【００４６】
図１０は、図９の状態から蓋部材１１が開く方向にｘ２領域分スライド移動した状態を示す断面図である。
【００４７】
図９から図１０の位置へ蓋部材１１が開く方向にｘ２領域分スライド移動する際、リブ１１ａは、カード状記録媒体１４ｂの上方を通過するため、カード状記録媒体１４ｂと接触するのを防止できる。ここで、カード状記録媒体１４ａ，１４ｂの高さ方向のずれ寸法Ｆは、蓋部材１１のｘ１領域とｘ２領域との高低差より大きく設定されている。
【００４８】
以上説明したように、本実施形態では、スロット部１３ａ，１３ｂを開閉可能に覆う蓋部材１１が開き状態でカメラ本体１の外観面から突出することがない。このため、デジタルビデオカメラの意匠性が向上するとともに、カメラ本体１に対して開閉可能に取り付けられる表示ユニット２を閉じた際にカメラ本体１の外観面が表示ユニット２の収納面とされる場合でも適用することができる。
【００４９】
また、本実施形態では、蓋部材１１の閉じ状態で衝撃等によりスロット部１３ａ，１３ｂからカード状記録媒体１４ａ，１４ｂが飛び出すのを防止できるので、かかる飛び出しによるカード状記録媒体１４ａ，１４ｂのデータ破損を回避することができる。
【００５０】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５１】
１  カメラ本体
１０  収納面
１０ａ  開口部
１１  蓋部材
１１ａ，１１ｂ  リブ
１３ａ，１３ｂ  スロット部
１４ａ，１４ｂ  カード状記録媒体
【図１】
0005783882.tif 000002
【図２】
0005783882.tif 000003
【図３】
0005783882.tif 000004
【図４】
0005783882.tif 000005
【図５】
0005783882.tif 000006
【図６】
0005783882.tif 000007
【図７】
0005783882.tif 000008
【図８】
0005783882.tif 000009
【図９】
0005783882.tif 000010
【図１０】
0005783882.tif 000011